(57)【要約】【課題】省スペース化が図られた構造で空気中にイオンを放出することが可能なイオン発生装置を提供する。【解決手段】イオン発生装置１は、手摺り棒Ｈに接続される手摺り用接続部材であるブラケット１１０と、ブラケット１１０の内部に設けた空気中にイオンを放出するイオン発生器１２０と、を備える。イオン発生装置１はイオン発生器１２０を駆動することでブラケット１１０から空気中にイオンを放出する。空気清浄機などといった装置を床面に設置するわけでもなく、外観形状が通常の手摺り用のブラケットと何ら変わりないので、人の通行の妨げになることがない。【選択図】図１
2013212306.tif 000002
【特許請求の範囲】
【請求項１】
手摺り棒に接続される手摺り用接続部材と、
前記手摺り用接続部材の内部に設けた空気中にイオンを放出するイオン発生器と、
を備えることを特徴とするイオン発生装置。
【請求項２】
前記手摺り用接続部材が前記手摺り棒を壁面等に固定して支持するブラケットであって、前記イオン発生器を前記ブラケットの内部に組み込んだことを特徴とする請求項１に記載のイオン発生装置。
【請求項３】
前記手摺り用接続部材が前記手摺り棒を壁面等に固定して支持するブラケットであって、前記ブラケットの表面を覆うカバー部材の内部に前記イオン発生器を組み込んだことを特徴とする請求項１に記載のイオン発生装置。
【請求項４】
前記手摺り用接続部材が２本の前記手摺り棒の間に配置されてそれらを連結するソケットであって、前記イオン発生器を前記ソケットの内部に組み込んだことを特徴とする請求項１に記載のイオン発生装置。
【請求項５】
手摺り棒と、
前記手摺り棒の内部に設けた空気中にイオンを放出するイオン発生器と、
を備えることを特徴とするイオン発生装置。
【請求項６】
前記イオン発生器がＨ+（Ｈ2Ｏ）ｍ（ｍは任意の自然数）からなる正イオンと、Ｏ2-（Ｈ2Ｏ）ｎ（ｎは任意の自然数）からなる負イオンとを発生することを特徴とする請求項１〜請求項５のいずれか１項に記載のイオン発生装置。
【請求項７】
前記イオン発生器が帯電した微細水粒子を発生する静電霧化装置からなることを特徴とする請求項１〜請求項５のいずれか１項に記載のイオン発生装置。
【請求項８】
前記イオン発生器が正イオンまたは負イオンのいずれかと、前記正イオンまたは前記負イオンの逆極性に帯電した微細水粒子とを発生する静電霧化装置からなることを特徴とする請求項１〜請求項５のいずれか１項に記載のイオン発生装置。
【発明の詳細な説明】
【技術分野】
【０００１】
本発明は、正イオン及び負イオンを発生させて空気中に放出するイオン発生装置に関する。特に手摺り棒や手摺り棒に接続されるブラケットやソケットなどの手摺り用接続部材の形態をなすイオン発生装置に関する。
【背景技術】
【０００２】
流行性の疾患、特にウイルスにより感染が広がるインフルエンザなどの疾患については、空気中に浮遊するウイルスによる飛沫感染や、ドアノブ、テレビのリモコンなどの共用物を介して感染する接触感染に注意が必要である。空気中の浮遊菌や構造物に付着したウイルスの除菌を目的とした従来技術が特許文献１及び２に開示されている。
【０００３】
特許文献１に記載された空気清浄機及び空気調和機は空気の吸込口から吹出口に至る通風路の下流側にイオン発生装置を配置し、正イオンと負イオンとを放出している。これにより、空気中に浮遊する浮遊細菌を殺菌するようにしている。
【０００４】
特許文献２に記載された把手は例えばドアノブやハンドルであって、外形として形成された外殻部材とこの外殻部材の内部の収容空間に収容したマイナスイオン発生物質とを備えている。この把手は外殻部材が変位するとき、マイナスイオン発生物質どうしが摩擦を起こしてマイナスイオンを発生させる。これにより、人体が受けるマイナスイオンの量が多くなり、健康状態を良好に保つことができるとしている。
【先行技術文献】
【特許文献】
【０００５】
【特許文献１】特許第３７７３７６７号公報
【特許文献２】特開２００４−１１６１１５号公報
【発明の概要】
【発明が解決しようとする課題】
【０００６】
しかしながら、特許文献１及び２に記載された空気清浄機や空気調和機、把手はイオンを放出可能な領域が限られているので、例えば病院や職場などの廊下や通路、階段に設置したい場合、非常に多くの台数が必要となることに課題があった。例えば多くの空気清浄機を廊下や通路の床面に設置するとなると、多くの箇所に空気清浄機の設置スペースを設ける必要があるとともに、人の通行の妨げになることが問題であった。
【０００７】
本発明は、上記の点に鑑みなされたものであり、省スペース化が図られた構造で空気中にイオンを放出することが可能なイオン発生装置を提供することを目的とする。
【課題を解決するための手段】
【０００８】
上記の課題を解決するため、本発明のイオン発生装置は、手摺り棒に接続される手摺り用接続部材と、前記手摺り用接続部材の内部に設けた空気中にイオンを放出するイオン発生器と、を備えることを特徴としている。
【０００９】
この構成によれば、イオン発生器を駆動することで手摺り用接続部材から空気中にイオンを放出する。空気清浄機などといった装置を床面に設置するわけでもなく、外観形状が通常の手摺り用接続部材と何ら変わりないので、人の通行の妨げになることがない。
【００１０】
また、上記構成のイオン発生装置において、前記手摺り用接続部材が前記手摺り棒を壁面等に固定して支持するブラケットであって、前記イオン発生器を前記ブラケットの内部に組み込んだことを特徴としている。
【００１１】
また、上記構成のイオン発生装置において、前記手摺り用接続部材が前記手摺り棒を壁面等に固定して支持するブラケットであって、前記ブラケットの表面を覆うカバー部材の内部に前記イオン発生器を組み込んだことを特徴としている。
【００１２】
また、上記構成のイオン発生装置において、前記手摺り用接続部材が２本の前記手摺り棒の間に配置されてそれらを連結するソケットであって、前記イオン発生器を前記ソケットの内部に組み込んだことを特徴としている。
【００１３】
これらの構成によれば、イオン発生器がブラケットやそのカバー部材、ソケットの内部に収容される。すなわち、外観形状が通常の手摺り用接続部材と何ら変わりないので、人の通行の妨げになることがない。
【００１４】
また、本発明のイオン発生装置は、手摺り棒と、前記手摺り棒の内部に設けた空気中にイオンを放出するイオン発生器と、を備えることを特徴としている。
【００１５】
この構成によれば、イオン発生器を駆動することで手摺り棒から空気中にイオンを放出する。空気清浄機などといった装置を床面に設置するわけでもなく、外観形状が通常の手摺り棒と何ら変わりないので、人の通行の妨げになることがない。
【００１６】
また、上記構成のイオン発生装置において、前記イオン発生器がＨ+（Ｈ2Ｏ）ｍ（ｍは任意の自然数）からなる正イオンと、Ｏ2-（Ｈ2Ｏ）ｎ（ｎは任意の自然数）からなる負イオンとを発生することを特徴としている。この構成によれば、正イオン及び負イオンにより室内の浮遊菌や臭気成分が破壊され、殺菌や脱臭が行われる。
【００１７】
また、上記構成のイオン発生装置において、前記イオン発生器が帯電した微細水粒子を発生する静電霧化装置からなることを特徴としている。例えば負に帯電した微細水粒子を発生すると、空間の殺菌や脱臭に加えて、リラックス効果も生まれる。
【００１８】
また、上記構成のイオン発生装置において、前記イオン発生器が正イオンまたは負イオンのいずれかと、前記正イオンまたは前記負イオンの逆極性に帯電した微細水粒子とを発生する静電霧化装置からなることを特徴としている。
【発明の効果】
【００１９】
本発明の構成によれば、空気清浄機などといった装置を床面に設置するわけでもなく、外観形状が通常の手摺り棒や手摺り用接続部材と何ら変わらないイオン発生装置からイオンが放出される。したがって、多くの設置スペースを占有することがなく、人の通行の妨げにもならない省スペース化が図られた構造で空気中にイオンを放出することが可能なイオン発生装置を提供することができる。
【図面の簡単な説明】
【００２０】
【図１】本発明の第１実施形態のイオン発生装置を示す正面図である。
【図２】本発明の第１実施形態のイオン発生装置を示す側面図である。
【図３】本発明の第１実施形態のイオン発生装置を示す外観斜視図である。
【図４】本発明の第１実施形態のイオン発生装置のカバー部材を示す正面図である。
【図５】本発明の第１実施形態のイオン発生装置のカバー部材を示す側面図である。
【図６】本発明の第１実施形態のイオン発生装置のカバー部材を示す水平断面図である。
【図７】本発明の第１実施形態のイオン発生装置のイオン発生器の回路基板の平面図である。
【図８】本発明の第１実施形態のイオン発生装置のイオン発生器の回路図である。
【図９】本発明の第１実施形態のイオン発生装置の応用例を示す外観斜視図である。
【図１０】本発明の第２実施形態のイオン発生装置を示す正面図である。
【図１１】本発明の第２実施形態のイオン発生装置を示す側面図である。
【図１２】本発明の第２実施形態のイオン発生装置を示す外観斜視図である。
【図１３】本発明の第２実施形態のイオン発生装置を示す垂直断面図である。
【図１４】本発明の第３実施形態のイオン発生装置を示す外観斜視図である。
【図１５】本発明の第３実施形態のイオン発生装置を示す手摺り棒の軸線と平行をなす垂直断面図である。
【図１６】本発明の第３実施形態のイオン発生装置を示す手摺り棒の軸線と直角をなす垂直断面図である。
【図１７】本発明の第４実施形態のイオン発生装置を示す部分断面外観斜視図である。
【図１８】本発明の第４実施形態のイオン発生装置を示す手摺り棒の軸線と平行をなす垂直断面図である。
【図１９】本発明の第３実施形態のイオン発生装置を示す手摺り棒の軸線と直角をなす垂直断面図である。
【発明を実施するための形態】
【００２１】
以下、本発明の実施形態に係るイオン発生装置を図１〜図１９に基づき説明する。
【００２２】
最初に、本発明の第１実施形態のイオン発生装置について、図１〜図３を用いてその構造の概略を説明する。図１はイオン発生装置の正面図、図２はイオン発生装置の側面図、図３はイオン発生装置の外観斜視図である。
【００２３】
イオン発生装置１は、図１及び図２に示すように手摺り棒Ｈに接続される接続部材であるブラケット１０を備えている。
【００２４】
手摺り棒Ｈは人が手を掛ける棒であって、例えば廊下や通路などにおいて略水平をなす状態で設けられている。手摺り棒Ｈは中空ではない所謂無垢棒であっても良いし、中空棒であっても良い。また、手摺り棒Ｈの断面形状は図に示した円形であっても良いし、角形であっても良い。
【００２５】
ブラケット１０は手摺り棒Ｈと壁面Ｗとの間に設けられ、手摺り棒Ｈを壁面Ｗに固定して支持している。ブラケット１０は取付け座１１と、アーム部１２と、手摺り棒取付け部１３と、カバー部材１４とを備えている。
【００２６】
取付け座１１はアーム部１２及び手摺り棒取付け部１３と一体として形成され、手摺り棒Ｈに掛かる負荷に耐える強度の材料、例えば金属などで構成される。取付け座１１は座面１１ａを壁面Ｗに接触させ、不図示のビスでねじ止めされることにより固定される。取付け座１１はそのねじ止め用の貫通孔１１ｂを複数備える。
【００２７】
アーム部１２は取付け座１１から湾曲しながら上方に向かって延びている。アーム部１２の先端には手摺り棒取付け部１３が設けられている。
【００２８】
手摺り棒取付け部１３は手摺り棒Ｈの周面の形状に合わせて形成された台座である。手摺り棒取付け部１３は手摺り棒Ｈの周面に接触し、不図示のビスでねじ止めすることにより手摺り棒Ｈを固定して支持する。
【００２９】
カバー部材１４は取付け座１１に取り付けられる。カバー部材１４は正面から見ると、アーム部１２との接続部を除いた取付け座１１表面とほぼ同じ形状をなし、取付け座１１に嵌合する。カバー部材１４は取付け座１１を壁面Ｗに固定した後、取付け座１１の正面から取付け座１１を覆うように取り付けられる。
【００３０】
続いて、カバー部材１４の詳細な構成について、図３に加えて図４〜図８を用いて説明する。図４、図５及び図６はカバー部材１４の正面図、側面図、水平断面図である。図７はイオン発生器の回路基板の平面図、図８はイオン発生器の回路図である。
【００３１】
カバー部材１４は、図３及び図４に示すように正面から見てほぼ円形をなし、アーム部１２との干渉を避けるためのＵ字形状の切欠き部１４ａが中央部に設けられている。カバー部材１４の側面には、図５及び図６に示すように取付け座１１に嵌合するための突起部１４ｂが複数設けられている。突起部１４ｂは取付け座１１と係合するために内側に向かって突出している。
【００３２】
また、カバー部材１４は、図６に示すようにその内部にイオン発生器２０を備えている。このため、カバー部材１４はその正面にイオンを放出する２箇所のイオン放出孔１４ｐ、１４ｎを備えている。
【００３３】
イオン発生器２０はカバー部材１４の正面側の内面と取付け座１１との間の空間に設けられている。イオン発生器２０は図８に示した回路で構成された回路基板２０ａを備えている（図６及び図７参照）。回路基板２０ａは高圧電気発生部２１、正イオン発生部２２Ｐ及び負イオン発生部２２Ｎを備えている。
【００３４】
高圧電気発生部２１は外部から電力供給を受けて高圧の電気パルスを生成する回路である。高圧電気発生部２１は高圧電気を印加するためのパルス発生回路、電気パルスを高電圧パルスに変換する高圧トランス２１ａ、高電圧パルスを整流する整流器などを備えている。カバー部材１４には不図示の電源入力端子が設けられている。また、カバー部材１４は取付け座１１を介して壁面Ｗに接触することで基準電位を形成する。
【００３５】
正イオン発生部２２Ｐは正放電電極２３Ｐと正誘導電極２４Ｐとを備え、負イオン発生部２２Ｎは負放電電極２３Ｎと負誘導電極２４Ｎとを備えている。正放電電極２３Ｐ及び負放電電極２３Ｎは各々回路基板２０ａからイオン放出孔１４ｐ、１４ｎに向かって突出する針状に形成されて所定の間隔で略水平方向に並べて配置されている。正誘導電極２４Ｐは正放電電極２３Ｐを中心とする環状に形成され、正放電電極２３Ｐに対向している。同様に、負誘導電極２４Ｎは負放電電極２３Ｎを中心とする環状に形成され、負放電電極２３Ｎに対向している。
【００３６】
なお、正誘導電極２４Ｐの役目はカバー部材１４のイオン放出孔１４ｐが果たすように構成されている。同様に、負誘導電極２４Ｎの役目はイオン放出孔１４ｎが果たすように構成されている。また、イオン発生装置１を使用する人が正放電電極２３Ｐ及び負放電電極２３Ｎに触れないようにするため、イオン放出孔１４ｐ、１４ｎの直径を例えば６ｍｍとし、正放電電極２３Ｐ及び負放電電極２３Ｎとカバー部材１４との距離を例えば３ｍｍとした。
【００３７】
また、正放電電極２３Ｐ及び負放電電極２３Ｎの構造は針状電極に限定されるわけではなく、絶縁基板上に形成したパターン電極であっても良く、放電線であっても良い。
【００３８】
正イオン発生部２２Ｐ及び負イオン発生部２２Ｎはともに同じ構造であり、各々の正放電電極２３Ｐ、負放電電極２３Ｎに高圧電気発生回路で生成された高電圧が供給されて各々正誘導電極２４Ｐ、負誘導電極２４Ｎとの間で放電を発生させ、イオンを放出する。
【００３９】
ここで、イオン発生器２０の正放電電極２３Ｐ、負放電電極２３Ｎには交流波形またはインパルス波形からなる電圧が印加される。正放電電極２３Ｐには正電圧が印加され、コロナ放電による水素イオンが空気中の水分と結合して主としてＨ+（Ｈ2Ｏ）ｍからなる正イオンを発生する。負放電電極２３Ｎには負電圧が印加され、コロナ放電による酸素イオンが空気中の水分と結合して主としてＯ2-（Ｈ2Ｏ）ｎからなる負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００４０】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。したがって、正イオン発生部２２Ｐにおいて正イオンを発生してイオン放出孔１４ｐから放出し、負イオン発生部２２Ｎにおいて負イオンを発生してイオン放出孔１４ｎから放出することにより、例えば廊下や通路の空間の殺菌や脱臭を行うことができる。
【００４１】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００４２】
なお、本実施形態ではイオン発生器２０によって正イオン及び負イオンを発生しているが、正イオンのみまたは負イオンのみを発生しても良い。
【００４３】
また、本発明において、イオンには帯電した微細水粒子も含むものとする。このとき、イオン発生器２０は静電霧化装置からなり、静電霧化装置によってラジカル成分を含む帯電した微細水粒子が生成される。すなわち、静電霧化装置に設けた放電電極をペルチェ素子により冷却することで放電電極の表面に結露水が生じる。次に、放電電極にマイナスの高電圧を印加すると、結露水から帯電した微細水粒子が生成される。また、放電電極からは帯電した微細水粒子とともに空気中に放出される負イオンも発生する。
【００４４】
イオン発生器２０は正イオンまたは負イオンのいずれかと、正イオンまたは負イオンの逆極性に帯電した微細水粒子とを発生する静電霧化装置からなるものであっても良い。負イオン若しくは負に帯電した微細水粒子が発生すると、空間の殺菌や脱臭に加えて、リラックス効果も生まれるとされている。
【００４５】
イオン発生装置１は、図１に示すように手摺り棒Ｈの長手方向両端の間に設置される一般的に「中間ブラケット」と呼ばれるブラケット１０を用いて説明したが、取付け座１１を有するブラケットであれば例えば図９に示す他の構成であっても良い。図９はイオン発生装置１の応用例を示す外観斜視図であって、手摺り棒Ｈの端部に設置される一般的に「エンドブラケット」と呼ばれるブラケット１０を示している。
【００４６】
上記のように、イオン発生装置１は手摺り棒Ｈに接続されるブラケット１０と、ブラケット１０に設けた空気中にイオンを放出するイオン発生器２０とを備えるので、イオン発生器２０を駆動することでブラケット１０から空気中にイオンを放出する。空気清浄機などといった装置を床面に設置するわけでもなく、外観形状が通常の手摺り用のブラケットと何ら変わりないので、イオン発生装置１は人の通行の妨げになることがない。
【００４７】
また、ブラケット１０の表面を覆うカバー部材１４の内部にイオン発生器２０を組み込んだので、イオン発生器２０がカバー部材１４の内部に収容される。これにより、イオン発生器２０は人の通行の妨げにならないことに加えて、容易に交換することが可能である。
【００４８】
そして、イオン発生器２０はＨ+（Ｈ2Ｏ）ｍ（ｍは任意の自然数）からなる正イオンと、Ｏ2-（Ｈ2Ｏ）ｎ（ｎは任意の自然数）からなる負イオンとを発生するので、正イオン及び負イオンにより廊下や通路などの浮遊菌や臭気成分を破壊して、殺菌や脱臭を行うことができる。
【００４９】
さらに、イオン発生器２０が帯電した微細水粒子を発生する静電霧化装置からなる。また、イオン発生器２０が正イオンまたは負イオンのいずれかと、正イオンまたは負イオンの逆極性に帯電した微細水粒子とを発生する静電霧化装置からなる。これにより、例えば負に帯電した微細水粒子を発生すると、空間の殺菌や脱臭に加えて、リラックス効果も生じさせることができる。
【００５０】
そして、本発明の上記実施形態の構成によれば、空気清浄機などといった装置を床面に設置するわけでもなく、外観形状が通常の手摺り用のブラケットと何ら変わらないイオン発生装置１からイオンを放出することができる。したがって、多くの設置スペースを占有することがなく、人の通行の妨げにもならない省スペース化が図られた構造で空気中にイオンを放出することが可能なイオン発生装置１を提供することができる。
【００５１】
一般的に、手摺り棒Ｈを支持する隣り合うブラケット１０の間隔は９０ｃｍ程度とすることが推奨されている。すなわち、イオン発生器２０も９０ｃｍ程度の間隔で配置されることになる。このように、イオン発生器２０が廊下や通路などに沿って等間隔で配置されることにより、廊下や通路などの空間におけるイオン濃度も均等に維持されることが期待できる。
【００５２】
イオン発生器２０を設けたブラケット１０を手摺り棒Ｈに沿って複数設置した場合、各イオン発生器２０を同時に運転することが一般的である。一方、人感センサーを用いて人の動きに対応できるように構成し、複数のイオン発生器２０のうちいくつかのみを運転しても良い。例えば、人の存在を感知した位置のイオン発生器２０のみ、或いはその近隣を含めたイオン発生器２０のみを運転するようにしても良い。また、各イオン発生器２０を独立して運転するように制御しても良い。
【００５３】
次に、本発明の第２実施形態のイオン発生装置について、図１０〜図１３を用いて説明する。図１０、図１１、図１２及び図１３はイオン発生装置の正面図、側面図、外観斜視図及び垂直断面図である。なお、この実施形態の基本的な構成は図１〜図９を用いて説明した前記第１実施形態と同じであるので、第１実施形態と共通する構成要素についてその説明を省略するものとする。
【００５４】
第２実施形態のイオン発生装置１０１は、図１０及び図１１に示すように手摺り棒Ｈに接続される接続部材であるブラケット１１０を備えている。
【００５５】
ブラケット１１０は手摺り棒Ｈと壁面Ｗとの間に設けられ、手摺り棒Ｈを壁面Ｗに固定して支持している。ブラケット１１０は、図１２及び図１３に示すように全体が壁面Ｗから湾曲しながら上方に向かって延びるアーム形状で形成されている。ブラケット１１０は手摺り棒取付け部１１３と、カバー部材１１４と、開口１１５とを備えている。
【００５６】
ブラケット１１０は中空の形態で形成され、正面側に開口１１５が設けられている。この開口１１５の内側から手摺り棒Ｈ及び壁面Ｗに対して不図示のビスでねじ止めを行うことにより、ビスが外部から見えないようになっている。
【００５７】
カバー部材１１４は開口１１５に嵌合して開口１１５を塞ぐ蓋形状の部材である。ブラケット１１０はカバー部材１１４を開いたその内部にイオン発生器１２０を備えている。このため、カバー部材１１４はその正面にイオンを放出する２箇所のイオン放出孔１１４ｐ、１１４ｎを備えている。
【００５８】
イオン発生器１２０は図１３に示す回路基板１２０ａを備えている。なお、回路基板１２０ａの回路構成は先に説明した図８と同じであるので、図面の記載及びその詳細な説明を省略する。
【００５９】
イオン発生器１２０は回路基板１２０ａからイオン放出孔１１４ｐ、１１４ｎに向かって突出する針状に形成された正放電電極１２３Ｐ及び負放電電極１２３Ｎを備える（図１０〜図１３では正放電電極１２３Ｐを図示せず）。イオン放出孔１１４ｐは正誘導電極１２４Ｐの役目を果たし、イオン放出孔１１４ｎは負誘導電極１２４Ｎの役目を果たす。
【００６０】
イオン発生装置１０１は正イオンを発生させてイオン放出孔１１４ｐから放出し、負イオンを発生させてイオン放出孔１１４ｎから放出することにより、例えば廊下や通路の空間の殺菌や脱臭を行うことができる。そして、ブラケット１１０自体の内部にイオン発生器１２０を組み込んだので、イオン発生器１２０がブラケット１１０の内部に収容されて表側に露出することがない。これにより、イオン発生器１２０は人の通行の妨げにならない。
【００６１】
次に、本発明の第３実施形態のイオン発生装置について、図１４〜図１６を用いて説明する。図１４はイオン発生装置の外観斜視図、図１５はイオン発生装置の手摺り棒の軸線と平行をなす垂直断面図、図１６はイオン発生装置の手摺り棒の軸線と直角をなす垂直断面図である。なお、この実施形態の基本的な構成は図１〜図９を用いて説明した前記第１実施形態と同じであるので、第１実施形態と共通する構成要素についてその説明を省略するものとする。
【００６２】
第３実施形態のイオン発生装置２０１は、図１４及び図１５に示すように２本の手摺り棒Ｈに接続される接続部材であるソケット２１０を備えている。
【００６３】
ソケット２１０は２本の手摺り棒Ｈの端部の間に配置され、それらを連結している。ソケット２１０はその内側に手摺り棒Ｈの外径が嵌合するパイプ形状で形成されている。ソケット２１０はその両端各々に手摺り棒Ｈが差し込まれ、その内部の２本の手摺り棒Ｈの端部の間の部分に空間が設けられている。
【００６４】
ソケット２１０はその内部にイオン発生器２２０を備えている。このため、ソケット２１０はその下部にイオンを放出する２箇所のイオン放出孔２１４ｐ、２１４ｎを備えている。
【００６５】
イオン発生器２２０は図１５及び図１６に示す回路基板２２０ａを備えている。回路基板２２０ａはパイプ形状をなすソケット２１０の内部に略水平にして配置されている。イオン発生器２２０は回路基板２２０ａからイオン放出孔２１４ｐ、２１４ｎに向かって下方に突出する針状に形成された正放電電極２２３Ｐ及び負放電電極２２３Ｎを備えている。イオン放出孔２１４ｐは正誘導電極２２４Ｐの役目を果たし、イオン放出孔２１４ｎは負誘導電極２２４Ｎの役目を果たす。
【００６６】
イオン発生装置２０１は正イオンを発生させてイオン放出孔２１４ｐから放出し、負イオンを発生させてイオン放出孔２１４ｎから放出することにより、例えば廊下や通路の空間の殺菌や脱臭を行うことができる。そして、ソケット２１０の内部にイオン発生器２２０を組み込んだので、イオン発生器２２０がソケット２１０の内部に収容されて表側に露出することがない。これにより、イオン発生器２２０は人の通行の妨げにならない。
【００６７】
一般的に、第１及び第２実施形態で説明したブラケット１０、１１０は９０ｃｍ程度の間隔で複数設置することが推奨されている。一方、第３実施形態のイオン発生装置２０１のソケット２１０を使用することにより、任意の箇所にイオン発生器２２０を配置することができる。したがって、廊下や通路などの空間においてイオンが高濃度となる領域を形成することが可能である。
【００６８】
次に、本発明の第４実施形態のイオン発生装置について、図１７〜図１９を用いて説明する。図１７はイオン発生装置の部分断面外観斜視図、図１８はイオン発生装置の手摺り棒の軸線と平行をなす垂直断面図、図１９はイオン発生装置の手摺り棒の軸線と直角をなす垂直断面図である。なお、この実施形態の基本的な構成は図１〜図９を用いて説明した前記第１実施形態と同じであるので、第１実施形態と共通する構成要素についてその説明を省略するものとする。
【００６９】
第４実施形態のイオン発生装置３０１は、図１７及び図１８に示すように手摺り棒３１０を備えている。
【００７０】
手摺り棒３１０は、図１９に示すようにその軸線と直角をなす垂直断面がＣ字形状をなす例えば金属製のパイプで形成されている。すなわち、手摺り棒３１０は軸線方向に沿って延びる割れ目３１０ａを備えている。手摺り棒３１０は割れ目３１０ａを下方に向けて不図示のブラケット等に支持されて壁面に固定される。すなわち、金属で構成された手摺り棒３１０が電気的に接地される。
【００７１】
手摺り棒３１０はその内部にイオン発生器３２０を備えている。
【００７２】
イオン発生器３２０は図１８及び図１９に示す回路基板３２０ａを備えている。回路基板３２０ａは手摺り棒３１０の内径より小さい外径のパイプ形状をなす筐体３２０ｂの内部に略水平にして配置されている。筐体３２０ｂは例えば金属で構成され、その下部にイオンを放出する２箇所のイオン放出孔３２０ｐ、３２０ｎを備えている。イオン放出孔３２０ｐ、３２０ｎは手摺り棒３１０の割れ目３１０ａに揃えて配置され、割れ目３１０ａの間隔がイオン放出孔３２０ｐ、３２０ｎの直径とほぼ同じ、若しくはそれらより広くなっている。
【００７３】
イオン発生器３２０は回路基板３２０ａからイオン放出孔３２０ｐ、３２０ｎに向かって下方に突出する針状に形成された正放電電極３２３Ｐ及び負放電電極３２３Ｎを備えている。ここで、イオン発生器３２０の金属製の筐体３２０ｂは電気的に接地された金属製の手摺り棒３１０に接触することで基準電位を形成している。これにより、手摺り棒３１０の割れ目３１０ａが正誘導電極３２４Ｐ及び負誘導電極３２４Ｎの役目を果たす。
【００７４】
イオン発生装置３０１は正イオンを発生させてイオン放出孔３２０ｐを介して割れ目３１０ａから放出し、負イオンを発生させてイオン放出孔３２０ｎを介して割れ目３１０ａから放出することにより、例えば廊下や通路の空間の殺菌や脱臭を行うことができる。そして、手摺り棒３１０の内部にイオン発生器３２０を組み込んだので、イオン発生器３２０が手摺り棒３１０の内部に収容されて表側に露出することがない。これにより、イオン発生器３２０は人の通行の妨げにならない。
【００７５】
一般的に、第１及び第２実施形態で説明したブラケット１０、１１０は９０ｃｍ程度の間隔で複数設置することが推奨されている。一方、第４実施形態のイオン発生装置３０１の手摺り棒３１０を使用することにより、任意の箇所にイオン発生器３２０を配置することができる。したがって、廊下や通路などの空間においてイオンが高濃度となる領域を形成することが可能である。
【００７６】
なお、手摺り棒３１０の割れ目３１０ａは軸線方向に連続している必要はなく、軸線方向に端部を有するスリット形状であっても良い。また、割れ目３１０ａの代わりに、手摺り棒３１０にイオンを放出することが可能な孔を設けても良い。
【００７７】
以上、本発明の実施形態につき説明したが、本発明の範囲はこれに限定されるものではなく、発明の主旨を逸脱しない範囲で種々の変更を加えて実施することができる。
【００７８】
例えば、上記第１〜第４実施形態は互いを組み合わせて用いることができる。
【産業上の利用可能性】
【００７９】
本発明は、手摺り棒や手摺り棒に接続されるブラケットやソケットなどの手摺り用接続部材において利用可能である。
【符号の説明】
【００８０】
１、１０１、２０１、３０１    イオン発生装置
１０、１１０    ブラケット（接続部材）
１４    カバー部材
２０、１２０、２２０、３２０    イオン発生器
２１０    ソケット（接続部材）
３１０、Ｈ    手摺り棒
【図１】
2013212306.tif 000003
【図２】
2013212306.tif 000004
【図３】
2013212306.tif 000005
【図４】
2013212306.tif 000006
【図５】
2013212306.tif 000007
【図６】
2013212306.tif 000008
【図７】
2013212306.tif 000009
【図８】
2013212306.tif 000010
【図９】
2013212306.tif 000011
【図１０】
2013212306.tif 000012
【図１１】
2013212306.tif 000013
【図１２】
2013212306.tif 000014
【図１３】
2013212306.tif 000015
【図１４】
2013212306.tif 000016
【図１５】
2013212306.tif 000017
【図１６】
2013212306.tif 000018
【図１７】
2013212306.tif 000019
【図１８】
2013212306.tif 000020
【図１９】
2013212306.tif 000021